【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
複数の記録材が載置された給紙部と、
前記給紙部から搬送路上に記録材を給紙する給紙ローラと、
前記給紙ローラにより給紙された記録材に画像を転写する転写手段と、
記録材が前記給紙ローラにより給紙されてから前記転写手段により画像が形成されるまでの搬送路上に設けられ、前記記録材を検知する第１の検知手段と、
前記給紙ローラにより記録材の給紙が開始されてから、給紙された記録材が前記第１の検知手段に到達するまでの到達時間を測定する測定手段と、
前記測定手段により測定された到達時間に基づいて、記録材の搬送異常が発生したことを判断する第１の判断手段と、
前記第１の判断手段により搬送異常と判断されてから次に搬送異常と判断されるまでの間に前記給紙ローラにより給紙された記録材の枚数を計測する計測手段と、
前記計測手段により計測された記録材の枚数に基づいて、前記給紙ローラの寿命を判断する第２の判断手段と、
を有し、
前記第２の判断手段は、前記給紙ローラの寿命を判断する場合に、前記計測手段により計測された第１の枚数以下の記録材の枚数を、前記給紙ローラの寿命を判断するために用いず、前記第１の枚数より多い記録材の枚数に基づいて、前記給紙ローラの寿命を判断することを特徴とする画像形成装置。
【請求項２】
複数の格納領域を有し、前記計測手段により計測された記録材の枚数が前記第１の枚数を超えた場合に、前記第１の枚数を超えた記録材の枚数が前記格納領域に格納される記憶手段を有し、
前記第２の判断手段は、前記記憶手段の前記複数の格納領域に格納された複数の記録材の枚数の平均値が、第２の枚数未満となった場合に、前記給紙ローラが寿命に到達したと判断することを特徴とする請求項１に記載の画像形成装置。
【請求項３】
前記第２の枚数は、前記第１の枚数よりも多いことを特徴とする請求項２に記載の画像形成装置。
【請求項４】
前記記憶手段は、リングバッファであることを特徴とする請求項２又は請求項３に記載の画像形成装置。
【請求項５】
複数の記録材が載置された給紙部と、
前記給紙部から搬送路上に記録材を給紙する給紙ローラと、
前記給紙ローラにより給紙された記録材に画像を転写する転写手段と、
記録材が前記給紙ローラにより給紙されてから前記転写手段により画像が形成されるまでの搬送路上に設けられ、前記記録材を検知する第１の検知手段と、
前記給紙ローラにより記録材の給紙が開始されてから、給紙された記録材が前記第１の検知手段に到達するまでの到達時間を測定する測定手段と、
前記測定手段により測定された到達時間に基づいて、記録材の搬送異常が発生したことを判断する第１の判断手段と、
前記第１の判断手段による判断結果に基づいて搬送異常が発生した頻度を算出する算出手段と、
前記算出手段により算出された搬送異常が発生した頻度に基づいて、前記給紙ローラの寿命を判断する第２の判断手段と、
を有し、
前記第２の判断手段は、前記給紙ローラの寿命を判断する場合に、前記算出手段により算出された第１の頻度以上の搬送異常のデータを、前記給紙ローラの寿命を判断するために用いず、前記第１の頻度より少ない搬送異常のデータに基づいて、前記給紙ローラの寿命を判断することを特徴とする画像形成装置。
【請求項６】
前記算出手段は、第３の枚数の記録材が前記給紙ローラにより給紙される間に発生した搬送異常の回数を計測し、前記給紙ローラにより給紙された記録材の枚数が前記第３の枚数に到達するごとに、計測した搬送異常の回数を前記第３の枚数で除することにより、前記頻度を算出することを特徴とする請求項５に記載の画像形成装置。
【請求項７】
前記第２の判断手段は、前記給紙ローラが新品の状態から給紙した記録材の枚数が第４の枚数に到達するまでは、前記給紙ローラの寿命を判断しないことを特徴とする請求項１から請求項６のいずれか１項に記載の画像形成装置。
【請求項８】
前記測定手段は、第１の時間が経過しても前記第１の検知手段により前記記録材の先端を検知できない場合には、前記到達時間として前記第１の時間より長い第２の時間を設定することを特徴とする請求項１から請求項７のいずれか１項に記載の画像形成装置。
【請求項９】
前記第２の判断手段は、前記給紙部に対してユーザによる操作が発生したと判断した場合には、前記操作が発生してから前記給紙ローラにより給紙された記録材の枚数が第５の枚数以上となるまでは、前記給紙ローラの寿命を判断しないことを特徴とする請求項１から請求項８のいずれか１項に記載の画像形成装置。
【請求項１０】
前記給紙部は、前記画像形成装置に対して挿抜可能であり、
前記給紙部が前記画像形成装置に対して挿抜されたことを検知する第２の検知手段を有し、
前記第２の判断手段は、前記第２の検知手段による検知結果に基づいて、前記操作が発生したことを判断することを特徴とする請求項９に記載の画像形成装置。
【請求項１１】
前記給紙部に記録材が載置されたことを検知する第３の検知手段を有し、
前記第２の判断手段は、前記第３の検知手段による検知結果に基づいて、前記操作が発生したことを判断することを特徴とする請求項９に記載の画像形成装置。
【請求項１２】
前記給紙部の記録材のサイズが変更されたことを検知する第４の検知手段を有し、
前記第２の判断手段は、前記第４の検知手段による検知結果に基づいて、前記操作が発生したことを判断することを特徴とする請求項９に記載の画像形成装置。
【手続補正２】
【補正対象書類名】明細書
【補正対象項目名】０００７
【補正方法】変更
【補正の内容】
【０００７】
（１）複数の記録材が載置された給紙部と、前記給紙部から搬送路上に記録材を給紙する給紙ローラと、前記給紙ローラにより給紙された記録材に画像を転写する転写手段と、記録材が前記給紙ローラにより給紙されてから前記転写手段により画像が形成されるまでの搬送路上に設けられ、前記記録材を検知する第１の検知手段と、前記給紙ローラにより記録材の給紙が開始されてから、給紙された記録材が前記第１の検知手段に到達するまでの到達時間を測定する測定手段と、前記測定手段により測定された到達時間に基づいて、記録材の搬送異常が発生したことを判断する第１の判断手段と、前記第１の判断手段により搬送異常と判断されてから次に搬送異常と判断されるまでの間に前記給紙ローラにより給紙された記録材の枚数を計測する計測手段と、前記計測手段により計測された記録材の枚数に基づいて、前記給紙ローラの寿命を判断する第２の判断手段と、を有し、前記第２の判断手段は、前記給紙ローラの寿命を判断する場合に、前記計測手段により計測された第１の枚数以下の記録材の枚数を、前記給紙ローラの寿命を判断するために用いず、前記第１の枚数より多い記録材の枚数に基づいて、前記給紙ローラの寿命を判断することを特徴とする画像形成装置。
（２）複数の記録材が載置された給紙部と、前記給紙部から搬送路上に記録材を給紙する給紙ローラと、前記給紙ローラにより給紙された記録材に画像を転写する転写手段と、記録材が前記給紙ローラにより給紙されてから前記転写手段により画像が形成されるまでの搬送路上に設けられ、前記記録材を検知する第１の検知手段と、前記給紙ローラにより記録材の給紙が開始されてから、給紙された記録材が前記第１の検知手段に到達するまでの到達時間を測定する測定手段と、前記測定手段により測定された到達時間に基づいて、記録材の搬送異常が発生したことを判断する第１の判断手段と、前記第１の判断手段による判断結果に基づいて搬送異常が発生した頻度を算出する算出手段と、前記算出手段により算出された搬送異常が発生した頻度に基づいて、前記給紙ローラの寿命を判断する第２の判断手段と、を有し、前記第２の判断手段は、前記給紙ローラの寿命を判断する場合に、前記算出手段により算出された第１の頻度以上の搬送異常のデータを、前記給紙ローラの寿命を判断するために用いず、前記第１の頻度より少ない搬送異常のデータに基づいて、前記給紙ローラの寿命を判断することを特徴とする画像形成装置。
【手続補正３】
【補正対象書類名】明細書
【補正対象項目名】０００８
【補正方法】削除
【補正の内容】